(57)【要約】      （修正有）【課題】ねじに螺合して使用されるクリップセットが外れにくい片持ちばりの固定装置を提供する。【解決手段】片持ちばりを支持するための片持ちばりの固定装置であって、隔壁３０を備えたベース２１と、隔壁３０と略平行し、且つ高さ方向に一定の間隔を開けるように、ベース２１に固定された板状の固定板２３と、移動板３２１と挟持板３２２と連接板３２３とを有するクリップ３２と、隔壁３０に位置して隔壁３０において移動板３２１とは反対側に露出している操作部３１１と、操作部３１１からクリップ３２のねじ孔３２４と螺合し且つねじ孔３２４を経由して固定板２３にまで延伸するねじ山部３１３とを有するねじ３１と、を備える。【選択図】図５
0003220914.tif 000002
【実用新案登録請求の範囲】
【請求項１】
片持ちばりを支持するための片持ちばりの固定装置において、
隔壁を備えたベースと、
前記隔壁と略平行し、且つ高さ方向に間隔を開けるように、前記ベースに固定された板状の固定板と、
前記隔壁と略平行となるように前記固定板と前記隔壁との間に画成された収容溝内に配置されていると共に、ねじ孔が形成されている移動板と、前記固定板を介して前記高さ方向において前記隔壁とは反対側に前記移動板と略平行となるように配置されている挟持板と、前記移動板と前記挟持板とを繋ぐ連接板とを有するクリップと、
前記隔壁に位置して前記隔壁において前記移動板とは反対側に露出している操作部と、前記操作部から、前記クリップの前記ねじ孔と螺合し、且つ前記ねじ孔を経由して前記固定板まで延伸するねじ山部と、を有し、回転可能に前記ベースに取付けられているねじと、を備える
ことを特徴とする片持ちばりの固定装置。
【請求項２】
前記ベースの前記隔壁には、前記隔壁を前記高さ方向に沿って貫通する調整孔が形成され、
前記ねじの前記操作部には前記ねじを回転させるための工具溝が形成され、
前記ねじは、
前記高さ方向と直交する水平方向へ円環状に張り出して前記ベースの前記収容溝側の前記隔壁と当接するつば部と、
前記ねじ山部の先端から更に突起するように形成された円柱部とを備え、
前記固定板は、前記円柱部が挿入される固定孔を備え、
前記操作部の前記工具溝を介して前記ねじを回転させることにより、
前記クリップは、前記ねじ孔と前記ねじ山部との螺合により、前記移動板が前記固定板の上面に当接し、且つ前記固定板の底面と前記挟持板の間に形成される挟持空間が広くなる開放限界位置と、前記移動板が前記つば部に当接するまで移動し、前記固定板と前記挟持板の間の前記挟持空間が狭くなる締結限界位置との間で移動する
ことを特徴とする請求項１に記載の片持ちばりの固定装置。
【請求項３】
前記ベースには、前記固定板が固定された側とは前記水平方向において反対側で、前記固定板及び前記隔壁と共に前記収容溝を画成する傾斜面が形成され、前記傾斜面は前記隔壁に接する一端から、前記隔壁から離れるに従って前記収容溝が広くなるように、前記高さ方向及び前記水平方向に対して斜めに延伸し、その先端と前記固定板との間に前記連接板が通過するスリットが形成されており、
前記調整孔と前記固定孔は長孔であり、
前記操作部の前記工具溝を介して前記ねじを回転させると、
前記移動板と前記連接板の接続箇所が前記傾斜面に当接しながらスライドすることにより、前記移動板に螺合された前記ねじも前記長孔内を移動する
ことを特徴とする請求項２に記載の片持ちばりの固定装置。
【請求項４】
前記ベースは、
前記固定板が固定された側の外周縁に、前記水平方向へ延伸するクリップベースを備え、
前記隔壁を介して前記収容溝とは前記高さ方向において反対側には前記片持ちばりを受け入れて支持するための設置凹部が形成されている
ことを特徴とする請求項２に記載の片持ちばりの固定装置。
【請求項５】
前記クリップの前記連接板の延伸方向と、前記移動板の延伸方向とは鈍角を成しており、前記鈍角の角度の範囲は９２度から１０２度の間である
ことを特徴とする請求項２に記載の片持ちばりの固定装置。
【請求項６】
前記鈍角の範囲は９５度から９９度の間である
ことを特徴とする請求項５に記載の片持ちばりの固定装置。
【請求項７】
前記クリップの前記連接板の延伸方向と前記挟持板の延伸方向とは鋭角を成しており、前記鋭角の角度は７６度から８６度である
ことを特徴とする請求項２に記載の片持ちばりの固定装置。
【請求項８】
前記鋭角の角度は７９度から８３度である
ことを特徴とする請求項７に記載の片持ちばりの固定装置。
【考案の詳細な説明】
【技術分野】
【０００１】
本考案は片持ちばりの固定装置に関し、特にねじを回しすぎても、ねじに螺合して使用されるクリップセットが外れにくい片持ちばりの固定装置に関する。
【背景技術】
【０００２】
図１と図２を参照して従来の片持ちばりの固定装置について説明する。ここで、図１は従来の片持ちばりと固定装置の斜視図であり、図２は従来の固定装置の断面図である。
【０００３】
図１に示す様に、従来のスクリーンサポートフレーム１は、片持ちばり１１と、固定装置１２とを含む。片持ちばり１１は、スクリーン（図示せず）を支持するために使用され、その底部は固定装置１２に取り付けられる。
【０００４】
図２に示す様に、固定装置１２は、ベース１３と、ねじ１４と、Ｕ字型クリップ１５を備える。ベース１３には、片持ちばり１１を取り付けるための上側に開口した取り付け凹部１３１と、Ｕ字型クリップ１５を受けるための収容スロット１３２と、取り付け凹部１３１と収容スロット１３２を分離するように水平方向へ延伸した隔壁１３３と、が形成される。
【０００５】
取り付け凹部１３１は上側に開口する。収容スロット１３２は、隔壁１３３を介して取り付け凹部１３１の反対側に形成される。ねじ１４は、操作部１４１とねじ部１４２とを有している。操作部１４１は、取り付け凹部１３１内に位置し、操作部１４１のねじ部１４２側が隔壁１３３に当接する。ねじ部１４２は、一端が操作部１４１に接続され、他端側が隔壁１３３を貫通するように下側へ延伸し、Ｕ字型クリップ１５にねじ止めされている。
【０００６】
Ｕ字型クリップ１５は、ねじ１４に螺合する移動部１５１と、ベース１３の外側に位置するクランプ部１５２と、これらを接続する中間部１５４とを有して、全体として略Ｕ字型に形成される。クランプ部１５２は、ベース１３と共にクリップ開口１６を画成する。
【０００７】
使用者が、ねじ１４の操作部１４１に形成された六角形の工具溝に図示しない六角レンチを差し込んでねじ１４を回転させると、Ｕ字型クリップ１５は収容スロット１３２内を上下方向に移動する。具体的には、ねじ１４を回転させてＵ字型クリップ１５を下方向へ移動させると、クリップ開口１６の幅を広くすることができる。
【０００８】
このとき、図示しない取り付け台の縁をクリップ開口１６の間に挟みこみ、取り付け台に取り付けることができる。
【考案の概要】
【考案が解決しようとする課題】
【０００９】
しかし、図２の断面図から明らかなように、従来の固定装置はねじ１４の下側とベース１３の間に隙間１５５があるので、ねじ１４を回しすぎると、Ｕ字型クリップ１５はねじ１４のねじ部１４から外れて、隙間１５５に落下してしまい、この状態ではねじ１４をいくら回転させてもＵ字型クリップ１５を上下方向に移動させることができない。
【００１０】
本考案はこのような問題に鑑みて、ねじを回しすぎても、ねじに螺合して使用されるクリップセットが外れにくい片持ちばりの固定装置を提供することを目的とする。
【課題を解決するための手段】
【００１１】
このような問題に鑑みて、本考案は以下の構成を備える。
片持ちばりを支持するための片持ちばりの固定装置において、隔壁を備えたベースと、前記隔壁と略平行し、且つ高さ方向に間隔を開けるように、前記ベースに固定された板状の固定板と、前記隔壁と略平行となるように前記固定板と前記隔壁との間に画成された収容溝内に配置されていると共に、ねじ孔が形成されている移動板と、前記固定板を介して前記高さ方向において前記隔壁とは反対側に前記移動板と略平行となるように配置されている挟持板と、前記移動板と前記挟持板とを繋ぐ連接板とを有するクリップと、前記隔壁に位置して前記隔壁において前記移動板とは反対側に露出している操作部と、前記操作部から、前記クリップの前記ねじ孔と螺合し、且つ前記ねじ孔を経由して前記固定板まで延伸するねじ山部と、を有し、回転可能に前記ベースに取付けられているねじと、を備える。
【００１２】
また、他の考案は、片持ちばりの固定装置において、更に、前記ベースの前記隔壁には、前記隔壁を前記高さ方向に沿って貫通する調整孔が形成され、前記ねじの前記操作部には前記ねじを回転させるための工具溝が形成され、前記ねじは、前記高さ方向と直交する水平方向へ円環状に張り出して前記ベースの前記収容溝側の前記隔壁と当接するつば部と、前記ねじ山部の先端に形成された円柱部とを備え、前記固定板は、前記円柱部が挿入される固定孔を備え、前記操作部の前記工具溝を介して前記ねじを回転させることにより、前記クリップは、前記ねじ孔と前記ねじ山部との螺合により、前記移動板が前記固定板の上面に当接し、且つ前記固定板の底面と前記挟持板の間に形成される挟持空間が広くなる開放限界位置と、前記移動板が前記つば部に当接するまで移動し、前記固定板と前記挟持板の間の前記挟持空間が狭くなる締結限界位置との間で移動する。
【００１３】
また、他の考案は、片持ちばりの固定装置において、更に、前記ベースには、前記固定板が固定された側とは前記水平方向において反対側で、前記固定板及び前記隔壁と共に前記収容溝を画成する傾斜面が形成され、前記傾斜面は前記隔壁に接する一端から、前記隔壁から離れるに従って前記収容溝が広くなるように、前記高さ方向及び前記水平方向に対して斜めに延伸し、その先端と前記固定板との間に前記連接板が通過するスリットが形成されており、前記調整孔と前記固定孔は長孔であり、前記操作部の前記工具溝を介して前記ねじを回転させると、前記移動板と前記連接板の接続箇所が前記傾斜面に当接しながらスライドすることにより、前記移動板に螺合された前記ねじも前記長孔内を移動する。
【考案の効果】
【００１４】
ねじの両端部が、ベースの隔壁と固定板に位置しているので、クリップが開放限界位置に到達すると、クリップの移動板が固定板によって移動が制限される。よって、クリップがねじのねじ山部から抜け落ちにくい。
【図面の簡単な説明】
【００１５】
【図１】従来の片持ちばりと固定装置の斜視図である。
【図２】従来の固定装置の断面図である。
【図３】本考案の第１の実施形態を示す片持ちばりと固定装置の斜視図である。
【図４】本考案の第１の実施形態を説明する分解斜視図である。
【図５】本考案の第１の実施形態を説明する断面図であり、固定板と挟持板との間が開いた開放限界位置の状態の断面図である。
【図６】本考案の第１の実施形態を説明する断面図であり、固定板と挟持板との間が閉じた締結限界位置の状態の断面図である。
【図７】本考案の第１の実施形態を説明する断面図であり、他の角度からクリップを締めた状態を説明する断面図である。
【図８】本考案の第１の実施形態を説明する断面図であり、平板台への取り付け方を説明するための断面図である。
【図９】本考案の第２の実施形態を示す固定装置の斜視図である。
【図１０】本考案の第２の実施形態を説明する断面図であり、固定板と挟持板との間が開いた開放限界位置の状態の断面図である。
【図１１】本考案の第２の実施形態を説明する断面図であり、固定板と挟持板との間が閉じた締結限界位置の状態の断面図である。
【図１２】本考案の第２の実施形態を説明する断面図であり、平板台への取り付け方を説明するための断面図である。
【考案を実施するための形態】
【００１６】
図３〜図８を参照して本考案の第１の実施形態を説明する。ここで、図３は本考案の第１の実施形態を示す片持ちばりと固定装置の斜視図であり、図４は本考案の第１の実施形態を説明する分解斜視図である。
【００１７】
また、図５は本考案の第１の実施形態を説明する断面図であり、固定板と挟持板との間が開いた開放限界位置の状態の断面図であり、図６は固定板と挟持板との間が閉じた締結限界位置の状態の断面図である。また、図７は他の角度からクリップを締めた状態を説明した断面図であり、図８は平板台への取り付け方を説明するための断面図である。
【００１８】
図３に示すスクリーンサポート片持ちばり９は、図１、図２で説明した従来のものと同様である。スクリーンサポート片持ちばり９の一番下側のアームの端部には下側に突出した取り付け部９１が形成される。なお、スクリーンサポート片持ちばり９自体は従来技術と同様なので、この明細書ではこれ以上説明しない。
【００１９】
図３に示す様に、ベースセット２は、ベース２１と、上述した取り付け部９１が挿入され、スクリーンサポート片持ちばり９を支持する設置凹部２１６と、ベースの下側の外周縁に接続されたクリップベース２２を備える。
【００２０】
本考案の片持ちばりの固定装置は、図４、図５に示すベースセット２とクリップセット３の間に画成された挟持空間４（図５）の内部へ、図８に示す平板台８を挿入して、図３に示したスクリーンサポート片持ちばり９を支持するベースセット２を、クリップセット３を活用して平板台８に固定するためのものである。
【００２１】
以下、本考案の片持ちばりの固定装置を図４と図５を参照しながら詳細に説明する。
図４、図５に示すベースセット２は、ベース２１と、クリップベース２２と、固定板２３とを備える。
【００２２】
ベース２１は、略円筒形状を呈し、図３で説明した設置凹部２１６に対して隔壁３０を介して高さ方向Ｉにおける下側に内壁面２１２によって形成された収容溝２１１を備える。また、隔壁３０には設置凹部２１６と収容溝２１１の間を貫通する調整孔２１７が形成されている。
【００２３】
収容溝２１１は図５に示す様に、高さ方向Ｉに沿って下側に延伸する。そして、収容溝２１１の端部には底部開口２１３が形成される。
【００２４】
内壁面２１２は、底部開口２１３と相対するトップ面２１４と、傾斜面２１５を備える。傾斜面２１５は一端が隔壁３０に接続されると共に、他端側は隔壁３０から離れるに従って収容溝２１１が広くなるよう形成された開放端である。すなわち、傾斜面２１５は、隔壁３０に接する一端から、隔壁３０から離れるに従って収容溝２１１が広くなるように、高さ方向Ｉ及び水平方向に対して斜めに延伸する。
【００２５】
クリップベース２２は、ベース２１の底面の外周縁に位置し、底部開口２１３に隣接している。また、クリップベース２２は、ベース２１の半径方向外側、即ち高さ方向Ｉと直交する水平方向に延伸している。また、クリップベース２２の外周形状は図３、図４に示す様に略円弧状である。
【００２６】
ここで、クリップベース２２は、ベース２１と一体的に製造しても、別々に製造した後に組み立てても差し支えない。なお、第１の実施形態では、クリップベース２２はベース２１と一体的に製造されている。また、クリップベース２２は、後述するクリップ３２で図８の平板台８に固定した際に、片持ちばりの固定装置に、スクリーンサポート片持ちばり９を挿入しても更に倒れにくくするものである。
【００２７】
固定板２３は、図４に示すように、長尺状の本体部と、この本体部から両側に延伸する一対のウイング部により形成される。また、本体部を介して対向する２つの一対のウイング部にはそれぞれ一つの連結孔２３２が形成されている。
【００２８】
また、固定板２３の本体部には図４、図５に示す様に調整孔２１７に対応する固定孔２３１が形成される。また、図４から明らかなように、この固定孔２３１は長孔である。
また、固定板２３は図５に示す様に、底部開口２１３に対して蓋をするように、ベース２１に取り付けられる。そして、図４に示した一対の連結ねじ２３３を、連結孔２３２を介して、ベース２１に形成された一対の連結ねじ受け２１９にそれぞれ接続する。その際、図５の断面図に示すようにベース２１の傾斜面２１５と、固定板２３との間にはスリット２１８が形成される。
【００２９】
図５に示す様に、クリップセット３は、ねじ３１とコの字型に形成されたクリップ３２を備える。ベースセット２の収容溝２１１には、隔壁３０に形成された調整孔２１７を介して高さ方向Ｉに沿ってねじ３１が差し込まれる。
【００３０】
ねじ３１は、操作部３１１と、つば部３１２と、ねじ山部３１３と、円柱部３１４を備える。操作部３１１は、調整孔２１７の内部に回転可能に配置され、且つ設置凹部２１６側に露出する。また、操作部３１１は例えば六角レンチが係合できるように、多角形の溝（例えば六角形）からなる工具溝３１５を備える。
【００３１】
つば部３１２は、円環状に高さ方向Ｉと直交する水平方向へ張り出してベース２１の収容溝２１１側の隔壁３０、すなわちトップ面２１４と当接する。
【００３２】
ねじ山部３１３は、つば部３１２から固定孔２３１へ向かって高さ方向Ｉに沿って延伸し、クリップ３２の後述する移動板３２１に形成されたねじ孔３２４と回転可能に螺合する。ここで、ねじ山部３１３の（水平方向の）径は、固定孔２３１の幅よりも広いことが好ましい。
【００３３】
円柱部３１４は、ねじ山部３１３から更に高さ方向Ｉの下側へ突出するよう形成される。ここで、円柱部３１４の径は、固定孔２３１の幅よりも狭いので、図５に示す様に、固定孔２３１の内部に円柱部３１４を挿入できる。
【００３４】
なお、調整孔２１７及び固定孔２３１は、長孔が好ましいが、ねじ３１を回転可能に着脱できれば特に制限はなく例えば楕円穴でも良い。
【００３５】
クリップ３２は、全体としてコの字型を呈する。また、図４に示すように平板状の移動板３２１と、この移動板３２１と同じ方向へ延伸する挟持板３２２と、これら移動板３２１と挟持板３２２を接続する平板状の連接板３２３を備える。
【００３６】
移動板３２１は、収容溝２１１内に高さ方向Ｉに移動可能に配置され、ねじ３１をねじ止めするためのねじ孔３２４を有する。挟持板３２２は、図５の断面図に示す様にベース２１の外側に位置し、固定板２３と共に挟持空間４を画成する。
【００３７】
連接板３２３は、図５に示す様に、ベース２１と固定板２３の間に形成されるスリット２１８を貫通しており、両端部でそれぞれ移動板３２１と挟持板３２２を接続する。
【００３８】
連接板３２３は移動板３２１に対して略垂直であり、連接板３２３は挟持板３２２に対しても略垂直である。
【００３９】
ここで略垂直とは、９０度±２度の範囲内を意味する。クリップ３２の材料は、プラスチック又は金属のような硬い材料である。ここで、金属は、鉄合金又はアルミニウム合金から選択することができるが、これらには限定されない。なお、第１の実施形態では、鉄合金が使用されているものとする。
【００４０】
図５、図６及び図７に示すように、ねじ山部３１３と螺合したクリップ３２は、ねじ３１の操作部３１１に形成された工具溝３１５に工具（図示せず）を挿し込んでねじ３１を回転させることにより、図５に示す開放限界位置と、図６に示す締結限界位置の間で高さ方向Ｉに沿って移動する。なお、開放限界位置と締結限界位置の間では自由に挟持空間４の広さを調整できるので、図８に示す平板台８の厚さに応じて調整できる。
【００４１】
ここで、図５に示す開放限界位置とは、移動板３２１が固定板２３の上面に当接し、且つ固定板２３の底面と挟持板３２２の間に形成される挟持空間４が最も広くなる位置を言う。一方、図６に示す締結限界位置とは、移動板３２１がつば部３１２に当接するまで移動し、固定板２３と挟持板３２２の間の挟持空間４が最も狭くなる位置を言う。
【００４２】
このように、ユーザはねじ３１を回転させることにより、図８の平板台８の厚さに合わせて挟持空間４のサイズを調整できる。
【００４３】
図３、図８に示すように、使用時には、テーブルのような平板台８に本考案の片持ちばりの固定装置を固定した後、スクリーンサポート片持ばり９の取り付け部９１を設置凹部２１６に挿入する。
【００４４】
片持ちばりの固定装置を平板台８に取り付ける際は、先ず平板台８の側縁部を挟める程度に、ねじ３１を回転させて挟持空間４を広げる。
【００４５】
クリップ３２を動作させる際は、六角レンチ等の工具（図示せず）を設置凹部２１６に挿入してねじ３１の工具溝３１５と嵌合させ、工具でねじ３１を回転させる。
【００４６】
このとき、クリップ３２は、ねじ３１の回転に伴って、ねじ３１と一緒に回転しないようにする必要があるため、図５に示す様に、固定板２３の水平方向右側の端部と連接板３２との間に隙間を空けないようにする。なお、ねじ３１の回転に伴ってクリップ３２も回転しなければ足りるので、ベース２の収容溝２１１を形成する内壁面２１２とクリップ３２が当接するように設計しても良い。
【００４７】
クリップ３２は、工具の回転に伴って、図６に示す締結限界位置に向かって移動する。このようにして、挟持空間４のサイズを調整することができる。
【００４８】
挟持空間４が平板台８を挟むのに適当なサイズに調整された後、片持ちばりの固定装置を平板台８の端部に配置する。そして、六角レンチ等の工具を用いて挟持空間４を広げた時とは逆向きにねじ３１を回転させる。
【００４９】
そうすると、平板台８の下側と挟持板３２２との間の隙間が徐々に狭くなり、挟持板３２２が平板台８の下側に当接する。そして、しっかりと平板台８に固定された状態を保つため、六角レンチ等の工具がこれ以上回らなくなるまで回転させる。
【００５０】
片持ちばりの固定装置が平板台８に固定されていることを確認した後、ベース２１に形成された設置凹部２１６にスクリーンサポート片持ちばり９の取り付け部９１を挿入し、設置が完了する。
【００５１】
本考案の第１の実施形態では以下の優れた効果を奏する。
クリップ３２が締結限界位置に達すると、つば部３１２に移動板３２１が当接するので、これ以上ねじ３１を回せない。一方、クリップ３２が図５の開放限界位置まで達しても、ねじ３１のねじ山部３１３が固定板２３まで延伸しているので、図２の従来技術と相違してクリップ３２が抜け落ちにくい。
【００５２】
また、ベースセット２のクリップベース２２は、平板台８との接触面積を更に増加させるので、クリップ３２で平板台８を挟んだ後の安定性が向上する。
【００５３】
更に、ねじ３１の操作部３１１は、設置凹部２１６内に露出しているので、ユーザは、六角レンチ等の工具を用いてねじ３１を回転させることにより、挟持空間４の広さを調整できる。また、ねじ山部３１３の先端にはねじ山が形成されていない円柱部３１４が形成されているので、摩擦が少なく、ねじ３１を回転させ易い。
【００５４】
次に、図９、図１０、図１１、図１２を参照して本考案の第２の実施形態を説明する。ここで、図９は本考案の第２の実施形態を示す固定装置の斜視図である。また、図１０は本考案の第２の実施形態を説明する断面図であり、固定板と挟持板との間が開いた開放限界位置の状態の断面図である。
【００５５】
また、図１１は本考案の第２の実施形態を説明する断面図であり、固定板と挟持板との間が閉じた締結限界位置の状態の断面図である。図１２は、本考案の第２の実施形態を説明する断面図であり、平板台への取り付け方を説明するための断面図である。
【００５６】
第２の実施形態において第１の実施形態と共通する構成は、同一の符号を付して説明を省略する。
【００５７】
異なる点は以下の通りである。図９から明らかなように、調整孔２１７と固定孔２３１はいずれも長孔であり、いずれも傾斜面２１５から離れるように水平方向に延伸する。また、図１０から明らかなように、クリップ３２は略コの字型であるが、第１の実施例とは形状が異なる。
【００５８】
すなわち、クリップ３２の連接板３２３の延伸方向と、移動板３２１の延伸方向とは鈍角を成しており、鈍角の角度の範囲は９２度から１０２度の間であり、更に好ましくは、鈍角の範囲は９５度から９９度の間である。これに伴って、図１０、図１１に示す様に、連接板３２３の延伸方向は傾斜面２１５の延伸方向と略一致する。
【００５９】
また、クリップ３２の連接板３２３の延伸方向と挟持板３２２の延伸方向とは鋭角を成しており、鋭角の角度は７６度から８６度であり、更に好ましくは、鋭角の角度は７９度から８３度である。
【００６０】
図１０、図１１、図１２を参照して第２の実施形態の動作を説明する。開放限界位置と締結限界位置の間で自由に挟持空間４の広さを調整できる点は第１の実施形態と共通である。
【００６１】
第２の実施形態において、注意するべき点は、ねじ３１の水平方向における位置（長孔における位置）である。先ず、図１０の開放限界位置まで挟持空間４が広がるようにねじ３１を回した場合には、ねじ３１は調整孔２１７と固定孔２３１の長孔の内部で、限界まで傾斜面２１５側に寄っている。
【００６２】
一方、図１１のように、締結限界位置までねじ３１を締めた場合には、ねじ３１は、調整孔２１７と固定孔２３１の長孔の内部で傾斜面２１５から遠ざかる方向に限界まで寄る。
【００６３】
すなわち、開放限界位置を示した図１０では、長孔の限界まで右側にねじ３１が寄り、図１１に示す締結限界位置では長孔の限界まで左側にねじ３１が寄り、図１２に示す開放限界位置に近づいた状態で平板台８に固定した場合には、ねじ３１の位置は図１０よりも少しだけ左側に寄る
【００６４】
これらを踏まえて以下動作を説明する。
図１０の状態から、ねじ３１を回転させて、クリップ３２を締結限界位置に向かって移動させると、連接板３２３は傾斜面２１５をスライドするよう案内されて、挟持板３２２が平板台８の下側へ向かって移動する。
【００６５】
その際、挟持板３２２の開放端は、連接板３２３と挟持板３２２との接続箇所よりも先に平板台８の下側に当接する。挟持板３２２の開放端が平板台８に当接した瞬間はまだ遊びがあるので、固定力をより強固なものとするべく、ねじ３１を更に回転させる。
【００６６】
そのとき、移動板３２１と接続された側の連接板３２３が傾斜面２１５と当接しながらスライドし、移動板３２１が傾斜面２１５によってクリップベース２２側へ押しだされ、傾斜面２１５から遠ざかる方向へ移動する。
【００６７】
なお、クリップ３２がスライドするように案内される際は、必ずしも連接板３２３の全体が傾斜面２１５と当接している必要はなく、移動板３２１と連接板３２３の接続箇所が当接していれば足りる。このため、移動板３２１の延伸方向と連接板３２３の延伸方向は略直角でも差し支えない。
【００６８】
そして、移動板３２１のねじ孔３２４と螺合したねじ３１も、長孔の内部を移動板３２１と共に傾斜面２１５から遠ざかる方向即ち左側に移動する。そして、図１２に示す様に、挟持板３２２の開放端のみならず、開放端に近接する挟持板３２２の一部も平板台８と接触し、接触面積が増えて、摩擦力が高まり、固定の安定性が向上する。
【００６９】
第２の実施形態では、第１の実施形態で得られた効果に加え、調整孔２１７と固定孔２３１をいずれも長孔に形成すると共に、クリップ３２の挟持板３２２の開放端側を先に平板台８に当接させ、傾斜面２１５を利用して、連接板３２３をスライドさせることにより、ねじ３１が長孔内を移動するので、平板台８との固定の効果がより優れる。
【００７０】
以上の説明は、本考案の実施例に過ぎず、これを以って本実用新案登録請求の範囲を限定するものではない。また、本考案の実用新案登録請求の範囲及び明細書の内容に簡単な付加や変化を加えたに過ぎないものについても、実用新案登録請求の範囲に記載された考案の技術的範囲に属するものとする。
【符号の説明】
【００７１】
１        スクリーンサポートフレーム
１１      片持ちばり
１２      固定装置
１３      ベース
１３１    取り付け凹部
１３２    収容スロット
１３３    隔壁
１４      ねじ
１４１    操作部
１４２    ねじ部
１５      Ｕ字型クリップ
１５１    移動部
１５２    クランプ部
１６      クリップ開口
２        ベースセット
２１      ベース
２１１    収容溝
２１２    内壁面
２１３    底部開口
２１４    トップ面部
２１５    傾斜面
２１６    設置凹部
２１７    調整孔
２１８    スリット
２１９    連結ねじ受け
２２      クリップベース
２３      固定板
２３１    固定孔
２３２    連結孔
２３３    連結ねじ
３        クリップセット
３０      隔壁
３１      ねじ
３１１    操作部
３１２    つば部
３１３    ねじ山部
３１４    円柱部
３１５    工具溝
３２      クリップ
３２１    移動板
３２２    挟持板
３２３    接続部
３２４    ねじ孔
４        挟持空間
８        平板台
９        スクリーンサポート片持ちばり
９１      取り付け部
Ｉ        高さ方向
【図１】
0003220914.tif 000003
【図２】
0003220914.tif 000004
【図３】
0003220914.tif 000005
【図４】
0003220914.tif 000006
【図５】
0003220914.tif 000007
【図６】
0003220914.tif 000008
【図７】
0003220914.tif 000009
【図８】
0003220914.tif 000010
【図９】
0003220914.tif 000011
【図１０】
0003220914.tif 000012
【図１１】
0003220914.tif 000013
【図１２】
0003220914.tif 000014